(57)【要約】【課題】浴槽より下方に補助タンクを設けることなく、浴槽内の水をポンプで高所に汲み上げて再利用することのできる浴槽水利用装置を提供する。【解決手段】浴槽２内の湯水を汲み上げるポンプ１１と、汲み上げられた湯水を貯めるタンク１２と、湯水の再利用要求に応じてタンク１２内の湯水を便器３の洗浄水等として排水する排水部１６と、浴槽内の水位を検出する水位センサ１３とを有し、制御部１８は、浴槽への湯張りおよび追い焚きを行う風呂給湯器による風呂の自動運転が終了した後であって浴槽内に湯水があることが水位センサ１３によって検出されたことを条件に、ポンプ１１を動作させて浴槽内の湯水をタンク１２に汲み上げる。また、浴槽の栓が抜かれて浴槽水位が急減少したとき、直ちに浴槽水を汲み上げてタンク１２に追加補給する。【選択図】図１
2015010332.tif 000002
【特許請求の範囲】
【請求項１】
浴槽内の湯水を汲み上げるポンプと、
前記ポンプで汲み上げられた湯水を貯めるタンクと、
前記タンク内の湯水の再利用要求に応じて該タンク内の湯水を所定の出水口へ排水する排水部と、
前記浴槽内の水位を検出する水位センサと、
前記ポンプによる前記浴槽内の湯水の汲み上げを制御する制御部と
を有し、
前記制御部は、前記浴槽への湯張りおよび追い焚きを行う風呂給湯器による風呂の自動運転が終了した後であって前記浴槽内に湯水があることが前記水位センサによって検出されたことを条件に、前記ポンプを動作させて前記浴槽内の湯水を前記タンクに汲み上げる
ことを特徴とする浴槽水利用装置。
【請求項２】
前記制御部は、前記風呂の自動運転が終了した後であって前記水位センサの検出水位が急減少したとき、前記ポンプを動作させて前記浴槽内の湯水を前記タンクに汲み上げる
ことを特徴とする請求項１に記載の浴槽水利用装置。
【請求項３】
前記排水部は、前記タンク内の水をトイレの便器の洗浄水として排水する
ことを特徴とする請求項１または２に記載の浴槽水利用装置。
【請求項４】
給水源からの水を前記タンクへ補給する上水供給部を備え、
前記制御部は、前記条件を満たさないときは、前記上水供給部で前記タンクに水を補給する
ことを特徴とする請求項３に記載の浴槽水利用装置。
【請求項５】
前記制御部は、前記排水の回数を計数し、前記排水がＮ（Ｎは２以上の整数）回行われる毎に、前記ポンプを動作させて前記浴槽内の湯水を前記タンクに汲み上げる
ことを特徴とする請求項４に記載の浴槽水利用装置。
【請求項６】
前記制御部は、前記排水部による前記排水の途中で前記タンク内の水が不足した場合は、前記排水部による前記排水と並行して前記上水供給部で前記タンクへ水を補給する
ことを特徴とする請求項４または５に記載の浴槽水利用装置。
【請求項７】
前記タンクから前記ポンプへ水を逆流させて、前記ポンプに呼び水を与える
ことを特徴とする請求項１乃至６のいずれか１つに記載の浴槽水利用装置。
【請求項８】
前記ポンプとして、前記風呂給湯器が備える追い焚き回路の循環ポンプを利用し、
前記水位センサとして、前記風呂給湯器が浴槽内の水位を検出するために備えるセンサを利用し、
前記追い焚き回路から分岐させた配管を通じて前記浴槽内の湯水を前記タンクへ移送する
ことを特徴とする請求項１乃至７のいずれか１つに記載の浴槽水利用装置。
【請求項９】
前記タンクは、前記トイレの天井裏に設置される
ことを特徴とする請求項３に記載の浴槽水利用装置。
【発明の詳細な説明】
【技術分野】
【０００１】
本発明は、浴槽に残った水を再利用する浴槽水利用装置に関する。
【背景技術】
【０００２】
浴槽の残り湯を、浴室の天井部分に設けたタンクにポンプで汲み上げてトイレの洗浄水等に利用する家庭用水再利用装置がある（特許文献１参照）。この家庭用水再利用装置では、浴槽より下側に補助タンクを設け、浴槽内の水を補助タンクに引き込み、補助タンクに溜まった水を浴室天井部分に設けたタンクへポンプで移送している。
【先行技術文献】
【特許文献】
【０００３】
【特許文献１】特開平１０−６０９６１号公報
【発明の概要】
【発明が解決しようとする課題】
【０００４】
浴槽より下側に補助タンクを設ける方法では、浴室が狭くなる、設置工事が面倒などの問題がある。
【０００５】
本発明は、上記の問題を解決しようとするものであり、浴槽より下方に補助タンクを設けることなく、浴槽内の水をポンプで高所に汲み上げて再利用することのできる浴槽水利用装置を提供することを目的としている。
【課題を解決するための手段】
【０００６】
かかる目的を達成するための本発明の要旨とするところは、次の各項の発明に存する。
【０００７】
［１］浴槽内の湯水を汲み上げるポンプと、
前記ポンプで汲み上げられた湯水を貯めるタンクと、
前記タンク内の湯水の再利用要求に応じて該タンク内の湯水を所定の出水口へ排水する排水部と、
前記浴槽内の水位を検出する水位センサと、
前記ポンプによる前記浴槽内の湯水の汲み上げを制御する制御部と
を有し、
前記制御部は、前記浴槽への湯張りおよび追い焚きを行う風呂給湯器による風呂の自動運転が終了した後であって前記浴槽内に湯水があることが前記水位センサによって検出されたことを条件に、前記ポンプを動作させて前記浴槽内の湯水を前記タンクに汲み上げる
ことを特徴とする浴槽水利用装置。
【０００８】
上記発明では、風呂の自動運転が終了した後であって浴槽内に湯水があることが水位センサによって検出されたことを条件に、ポンプを動作させて浴槽内の湯水をタンクに汲み上げる。これにより、浴槽から排出された浴槽水を一時的に貯める補助タンクを設けなくても、浴槽から直接、浴槽水をタンクに汲み上げることができる。また、風呂の自動運転が終了してから浴槽水を汲み上げるので、入浴を妨げない。
【０００９】
［２］前記制御部は、前記風呂の自動運転が終了した後であって前記水位センサの検出水位が急減少したとき、前記ポンプを動作させて前記浴槽内の湯水を前記タンクに汲み上げる
ことを特徴とする［１］に記載の浴槽水利用装置。
【００１０】
上記発明では、風呂の自動運転終了後に浴槽の水位が急減少したとき、すなわち、浴槽の栓が抜かれたとき、急いで浴槽水をタンクに汲み上げて補給する。
【００１１】
［３］前記排水部は、前記タンク内の水をトイレの便器の洗浄水として排水する
ことを特徴とする［１］または［２］に記載の浴槽水利用装置。
【００１２】
上記発明では、浴槽水がトイレの洗浄に再利用される。
【００１３】
［４］給水源からの水を前記タンクへ補給する上水供給部を備え、
前記制御部は、前記条件を満たさないときは、前記上水供給部で前記タンクに水を補給する
ことを特徴とする［３］に記載の浴槽水利用装置。
【００１４】
上記発明では、浴槽水をタンクに補給できない場合、すなわち、風呂の自動運転が終了していない、あるいは、風呂の自動運転は終了したが浴槽に水位がない場合に、上水供給部によりタンクに上水が補給される。浴槽水を利用できない場合でも、タンクに水が補給されるので、タンクから排水して水を利用することができる。たとえば、タンクから排水して便器を洗浄する動作を維持できる。
【００１５】
［５］前記制御部は、前記排水の回数を計数し、前記排水がＮ（Ｎは２以上の整数）回行われる毎に、前記ポンプを動作させて前記浴槽内の湯水を前記タンクに汲み上げる
ことを特徴とする［４］に記載の浴槽水利用装置。
【００１６】
上記発明では、排水Ｎ回について１回の補給が行われるので、ポンプを作動させる回数が少なくなり、ポンプの劣化が軽減される。
【００１７】
［６］前記制御部は、前記排水部による前記排水の途中で前記タンク内の水が不足した場合は、前記排水部による前記排水と並行して前記上水供給部で前記タンクへ水を補給する
ことを特徴とする［４］または［５］に記載の浴槽水利用装置。
【００１８】
何らかの事情でタンクへの補給が適切に行われなかった場合には、排水中にタンク内の水が不足する事態が発生し得る。上記発明では、排水中にタンク内の水が不足した場合は、排水部による排水と並行して上水供給部でタンクへ水を補給するので、排水部による排水を継続することができる。
【００１９】
［７］前記タンクから前記ポンプへ水を逆流させて、前記ポンプに呼び水を与える
ことを特徴とする［１］乃至［６］のいずれか１つに記載の浴槽水利用装置。
【００２０】
上記発明では、タンクから前記ポンプへ水を逆流させてポンプに呼び水を与えるので、呼び水を人手で与える手間が軽減される。たとえば、タンクに上水を補給し、ポンプを逆転させることで、呼び水をポンプに与えることができる。
【００２１】
［８］前記ポンプとして、前記風呂給湯器が備える追い焚き回路の循環ポンプを利用し、
前記水位センサとして、前記風呂給湯器が浴槽内の水位を検出するために備えるセンサを利用し、
前記追い焚き回路から分岐させた配管を通じて前記浴槽内の湯水を前記タンクへ移送する
ことを特徴とする［１］乃至［７］のいずれか１つに記載の浴槽水利用装置。
【００２２】
上記発明では、浴槽水利用装置は、風呂給湯器の追い焚き回路のポンプを利用して浴槽水をタンクに汲み上げる。また、風呂給湯器が具備する浴槽の水位センサを利用して浴槽内の水位を認識する。
【００２３】
［９］前記タンクは、前記トイレの天井裏に設置される
ことを特徴とする［３］に記載の浴槽水利用装置。
【発明の効果】
【００２４】
本発明に係る浴槽水利用装置によれば、浴槽から、直接、浴槽水をタンクに汲み上げて再利用することができる。これにより、浴槽より下方に補助タンクを設ける必要がなく、設置が容易になる。
【図面の簡単な説明】
【００２５】
【図１】本発明の第１の実施の形態に係る浴槽水利用装置の構成および設置状態を示す図である。
【図２】タンク内でのタンク水位センサの配置を示す図である。
【図３】リモコンの一例を示す正面図である。
【図４】風呂給湯器が行う風呂の自動運転の処理の概要を示す流れ図である。
【図５】浴槽水利用装置が行う処理全体の概要を示す流れ図である。
【図６】配管洗浄処理（図５のステップＳ２０４）の詳細を示す流れ図である。
【図７】タンク補給処理（図５のステップＳ２０８）の詳細を示す流れ図である。
【図８】トイレ暖房処理（図５のステップＳ２０９）の詳細を示す流れ図である。
【図９】排水処理（図５のステップＳ２１０）の詳細を示す流れ図である。
【図１０】第２の実施の形態に係る浴槽水利用装置の構成および設置状態を示す図である。
【図１１】第２の実施の形態に係る浴槽水利用装置が行うタンク補給処理を示す流れ図である。
【図１２】第３の実施の形態に係る浴槽水利用装置の構成および設置状態を示す図である。
【図１３】第３の実施の形態に係る浴槽水利用装置が行うトイレ暖房処理を示す流れ図である。
【図１４】第３の実施の形態に係る浴槽水利用装置が行う殺菌処理の詳細を示す流れ図である。
【図１５】第２の実施の形態で示した風呂給湯器に第３の実施の形態の風呂給湯器が有する暖房機能を具備させた場合の構成例を示す図である。
【図１６】逆流防止機能付き電磁弁の構成と動作を示す図である。
【図１７】第４の実施の形態の浴槽水利用装置の概略構成を示す図である。
【図１８】第４の実施の形態の浴槽水利用装置が行う配管洗浄処理を示す流れ図である。
【図１９】第５の実施の形態の浴槽水利用装置の概略構成を示す図である。
【図２０】取水口を浴槽の底部に設けた例を示す図である。
【図２１】ポンプを天井裏などの上方に設置した例を示す図である。
【発明を実施するための形態】
【００２６】
以下、図面に基づき本発明の各種実施の形態を説明する。
【００２７】
図１は、本発明の第１の実施の形態に係る浴槽水利用装置１０の構成および設置状態を示している。浴槽水利用装置１０は、浴槽２内の湯水（以後、浴槽水とも言う）を天井裏のタンクにポンプ１１で汲み上げて貯めておき、このタンク内の水をトイレの便器３の洗浄水等に利用する機能を備えている。
【００２８】
浴槽水利用装置１０は、トイレの天井裏等の高所に設置されるタンク１２と、浴槽２から浴槽水をタンク１２へ汲み上げるポンプ１１と、浴槽２内の水位を検出する浴槽水位センサ１３と、タンク１２内の水位を検出するタンク水位センサ１４と、タンク１２内の湯水の温度を検出する温度センサ１５と、タンク１２内の湯水を便器３の洗浄水として排水するための排水部１６と、タンク１２内の湯水の熱でトイレを暖房するための放熱部１７と、浴槽水利用装置１０の動作を制御する制御基板１８を備えて構成される。トイレの室内には浴槽水利用装置１０のリモートコントローラ４０（以後、リモコン４０とする）が設けてある。リモコン４０は、タンク１２から便器３へ洗浄水を流す指示（中水排水指示とする）等を利用者から受け付ける機能を果たす。
【００２９】
タンク１２の容量は、たとえば、６０リットル程度にされる。便器３の洗浄水の水量を１５リットルとした場合、４回の洗浄が可能な水量をタンク１２に貯めることができる。節水型の便器３を使用すれば、より多くの回数の洗浄が可能になる。なお、節水型の便器３を使用する場合はタンク１２の容量を小さくしてもよい。タンク１２は保温構造にされている。タンク１２内の湯を利用して便器３を洗浄するので、冷たい水で洗浄する場合に比べて、高い洗浄力を得ることができる。
【００３０】
タンク１２と浴槽２の取水口２ａは、浴槽水の汲み上げ経路となる配管（中水補給管２１とする）で接続されている。浴槽水位センサ１３およびポンプ１１は中水補給管２１に介挿されている。この例では、浴槽水位センサ１３およびポンプ１１は浴槽２の取水口２ａの近傍に、すなわち、取水口２ａと同程度の（もしくは取水口２ａより低い）高さの低所に設けてある。これにより、浴槽２からポンプ１１へ容易に呼び水を取り込むことができる。
【００３１】
中水補給管２１のうちタンク１２の近傍には当該中水補給管２１を開通状態と閉鎖状態に切り替える電磁弁（中水電磁弁２２とする）が設けてある。
【００３２】
タンク１２の上部には、所定の給水源から上水が供給される上水給水管２３の終端が開口されている。上水給水管２３の途中には当該上水給水管２３を開通状態と閉鎖状態に切り替える電磁弁（上水電磁弁２４）が設けてある。浴槽水が不足した場合に上水給水管２３から上水がタンク１２に補給される。
【００３３】
上水給水管２３の出口はタンク１２の最高水位より一定以上（たとえば、１０ｃｍ以上）高くされており、上水給水管２３の出口とタンク１２内の水とは、これらの間の高低差（空間）によって縁切りされる。中水補給管２１はタンク１２の最高水位より一定以上低い位置に開口している。たとえば、中水補給管２１の端部は最高水位と最低水位の中間の水位に開口される。中水補給管２１の出口をタンク１２の最高水位より一定以上低い位置に開口させることで、後に説明する配管洗浄においてタンク１２内の水が中水補給管２１に逆流し易くなっている。
【００３４】
タンク１２の底部には排水口が設けてある。該排水口には便器３の洗浄水の流入口に通じた排水配管２６が接続されている。排水配管２６の途中にタンク１２内の湯水を便器３の洗浄水として排水するための排水部１６が設けてある。排水部１６は、排水配管２６を流れる水の量を検出するフローセンサ２７と、該フローセンサ２７と直列にして排水配管２６に介挿された排水電磁弁２８と、排水電磁弁２８に並列に設けられた手動フラッシュ弁２９を備えている。
【００３５】
排水電磁弁２８は排水配管２６を開通状態と閉鎖状態に切り替える。浴槽水利用装置１０は、リモコン４０の中水排水釦４４（図３参照）から中水排水指示を受けた場合に、排水電磁弁２８を開いてタンク１２内の水を洗浄水として便器３へ排水する。このとき、排水量をフローセンサ２７で検出し、予め定めた水量に達したら排水電磁弁２８を閉じるように制御する。１回の中水排水指示に対する排水量は、リモコン４０等で予め設定可能になっている。
【００３６】
手動フラッシュ弁２９は、利用者から手動の操作を受けて、排水配管２６を開通状態と閉鎖状態に切り替える弁であって、一回の排水操作で所定量の水を流した後、自動的に閉じる機能を有する。
【００３７】
タンク１２内の湯水の熱でトイレを暖房する放熱部１７は、タンク１２内の熱を放熱する熱交換器３１とファン３２を備えて構成される。熱交換器３１は、熱交換用の水管とこの水管に外周面に多数設けられたフィンとから構成される。水管の両端はタンク１２に開口している。
【００３８】
トイレの天井には、熱交換器３１の設置箇所に対応する位置に通気口３３が設けてある。ファン３２で発生させた空気流は熱交換器３１を経て通気口３３からトイレの室内へ送り込まれる。熱交換器３１としてヒートパイプを使用してもかまわない。タンク１２内の湯水は自然対流によって熱交換器３１の中を流れる。なお、近年の住宅は断熱性能が高く、また、トイレは狭いので、放熱部１７の暖房能力は小さくてよい。
【００３９】
トイレの中（たとえば、天井）には、人がトイレの中に居ることを検出する人感センサ３５が設けてある。また、トイレには、トイレ内の空気を屋外へ排出して換気するための換気ファン３７が設けてある。放熱部１７でトイレを暖房するとき、人がトイレに居ることが人感センサ３５で検出されたら、放熱部１７のファン３２を止めてトイレの換気ファン３７を動作させ、人が居なくなったら換気ファン３７を止めて放熱部１７のファン３２を動作させる、といった制御が行われる。換気ファン３７を停止させることでタンク１２内の湯水の熱でトイレを効果的に暖房することができる。
【００４０】
このほか、タンク１２には消臭装置５６や殺菌装置５７が取り付けてある。消臭装置５６はタンク１２に貯めた浴槽水が発する臭いを消臭する。消臭装置５６は、臭いをマスキングするタイプでも臭いを分解するタイプでもよい。
【００４１】
殺菌装置５７は、タンク１２に貯めた浴槽水の殺菌、雑菌の抑制、抗菌等を行う装置である。タンク１２を構成する樹脂部材（躯体）に抗菌剤を練り込むようなものでもかまわない。
【００４２】
また、臭い対策等として、タンク１２内の空気を屋外へ排気するための換気ダクト５１が設けてある。換気ダクト５１の一端はタンク１２の上蓋に開口しており、他端は屋外に開放されている。換気ダクト５１の他端には換気ファン５２が取り付けてある。
【００４３】
また、タンク１２には、タンク１２内の水を屋外で散水・洗車などに利用可能とするための屋外排水配管５４が接続されている。屋外排水配管５４の一端はタンク１２内の下部に開口し、他端には屋外の出水栓５５が取り付けられている。タンク１２は高所に設けてあるので、高低差で出水圧を確保することができる。
【００４４】
浴槽水位センサ１３やタンク水位センサ１４には、圧力（水圧）センサ、水流スイッチ、フロートスイッチ、電極棒など各種のセンサの中から適宜のものを選択して使用すればよい。なお、浴槽水位センサ１３は圧力センサが適する。
【００４５】
制御基板１８は、ＣＰＵ（Central Processing Unit）とＲＯＭ（Read Only Memory）とＲＡＭ（Random Access Memory）を主要部とする回路で構成され、ＲＯＭに格納されているプログラムをＣＰＵが実行することで浴槽水利用装置１０の制御を行う。制御基板１８には、浴槽水位センサ１３、タンク水位センサ１４、温度センサ１５、フローセンサ２７、人感センサ３５などが接続され、これらから出力された検出信号が入力される。また制御基板１８にはポンプ１１、中水電磁弁２２、上水電磁弁２４、排水電磁弁２８、放熱部１７のファン３２、換気ファン３７、換気ファン５２の制御信号線が接続され、それぞれのオンオフを制御する。さらに制御基板１８にはリモコン４０が接続されている。
【００４６】
浴槽水利用装置１０は、常時は商用電源から電力の供給を受けて動作する。なお、停電に備えて、ポンプ１１は乾電池などのバッテリーで動作可能、あるいは手動で動作可能にされてもよい。
【００４７】
図２は、タンク１２内でのタンク水位センサ１４の配置を示している。タンク水位センサ１４は、上水給水管２３の出口からタンク１２内に放水された水が当たる場所に設けられている。図２の例では、タンク水位センサ１４はタンク１２の最高水位に水が到達しているか否かを検出する第１の電極１４ａと、タンク１２の最低水位に水があるか否かを検出する第２の電極１４ｂを備えている。この第１の電極１４ａと第２の電極１４ｂ（特に先端）が共に、上水給水管２３の出口からタンク１２内に放出された水が当たる（好ましくは直接当たる）場所に設けられている。
【００４８】
なお、タンク水位センサ１４として圧力センサ等を使用する場合においても上記と同様に、上水給水管２３の出口からタンク１２内に放出された水が当たる場所に圧力センサを配置する。
【００４９】
浴槽水は上水に比べて汚れた水なので、浴槽水をタンク１２に汲み上げて貯めることでタンク水位センサ１４に汚れが付着する。しかし、上水給水管２３の出口からタンク１２内に放出された水（上水）が当たる場所にタンク水位センサ１４を配置することで、タンク１２に上水を補給する際にタンク水位センサ１４が洗浄される。これにより、汚れによるタンク水位センサ１４の性能低下が防止される。
【００５０】
なお、図２の例では、タンク水位センサ１４の第２の電極１４ｂの先端には、中水補給管２１からタンク１２内へ放出される浴槽水が当たるので、浴槽水をタンク１２に補給する際にも第２の電極１４ｂは洗浄される。
【００５１】
図３は、リモコン４０の一例を示している。リモコン４０は表示部４１と、各種の操作釦を備えている。操作釦には、運転釦４２、設定釦４３、中水排水釦４４、上水排水釦４５、配管洗浄釦４６、設定値等を増減させるための上下キー４７、トイレ暖房釦４９などがある。また、中水排水釦４４、上水排水釦４５、配管洗浄釦４６の各右斜め上の近傍には、対応する釦がオンにされてその機能に係る動作が実行中の間に点灯されるランプ４８が設けてある。
【００５２】
運転釦４２は浴槽水利用装置１０の運転をオンオフするための操作釦である。設定釦４３は各種の動作条件を設定する設定モードに入るための操作釦である。たとえば、１回の中水排水指示に対してタンク１２から排水する洗浄水の水量、トイレの暖房設定温度、配管洗浄の時間間隔（設定運転時間）などが設定される。
【００５３】
中水排水釦４４は、タンク１２から便器３へ洗浄水を流す指示を使用者から受けるための操作釦である。上水排水釦４５は、便器３の洗浄に上水を使用することを指示する操作釦である。上水排水釦４５がオンにされると、浴槽水をタンク１２へ汲み上げる動作は行われなくなり、タンク１２内の水が減った場合に、上水給水管２３から上水がタンク１２へ補給されるようになる。
【００５４】
配管洗浄釦４６は、利用者から中水補給管２１の洗浄指示を受け付ける操作釦である。配管の自動洗浄が長期間行われない場合でも、配管洗浄釦４６を操作することで配管を洗浄することができる。
【００５５】
トイレ暖房釦４９はタンク１２内の湯水の熱でトイレを暖房するか否かを切り替えるスイッチである。
【００５６】
リモコン４０の表示部４１には、タンク１２に貯められた湯水（中水とする）を便器３へ排水した回数、タンク１２内の残り水量、各種の警告や操作案内などが表示される。
【００５７】
次に、浴槽水利用装置１０の動作について説明する。
【００５８】
浴槽水利用装置１０は、浴槽２への湯張りおよび保温（追い焚き）を行う風呂給湯器から風呂の自動運転の終了を示す情報を受け取ることで、入浴が終了して、浴槽２内の湯水を浴槽水利用装置１０側で利用可能となったことを認識する。まず、風呂給湯器が行う風呂の自動運転について簡単に説明する。
【００５９】
図４は、風呂給湯器が行う風呂の自動運転の処理の概要を示している。風呂給湯器は、自動運転がＯＮにされたら、湯張り終了フラグをリセット（ＯＦＦ）する（ステップＳ１０１）。湯張り終了フラグは、ＯＮのとき風呂の自動運転が終了したこと、すなわち、浴槽２への入浴が完了し、浴槽２内の残り湯を浴槽水利用装置１０が利用可能となったことを示す。湯張り終了フラグがＯＦＦのときは、浴槽２内の浴槽水を浴槽水利用装置１０が汲み上げて利用できないことを示している。
【００６０】
次に、風呂給湯器は、４時間保温タイマーをスタートさせる（ステップＳ１０２）。風呂給湯器は、風呂の自動運転を、運転開始から所定時間（ここでは４時間）が経過したときに自動的に終了させる機能を備えており、４時間保温タイマーはそのためのタイマーである。
【００６１】
次に、風呂給湯器は、浴槽２へ設定水位まで湯張りを行い、浴槽２内の湯が設定温度になるまで追い焚きする（ステップＳ１０３）。その後は、浴槽２内の湯の水位と温度が設定水位・設定温度に維持されるように注湯や追い焚きを適宜実行する（ステップＳ１０４；Ｎｏ、ステップＳ１０５；Ｎｏ）。
【００６２】
風呂給湯器は、風呂の自動運転中に浴槽２内の水位が急減少した（浴槽の栓が抜かれた）ことを検知したとき（ステップＳ１０４；Ｙｅｓ）、もしくは風呂の自動運転を開始してから所定時間が経過した（４時間保温タイマーがタイムアップした）とき（ステップＳ１０５；Ｙｅｓ）、湯張り終了フラグをＯＮにして（ステップＳ１０６）、風呂の自動運転を終了する。なお、手動操作で自動運転がＯＦＦにされたときも、湯張り終了フラグをＯＮにして風呂の自動運転を終了させるようになっている。
【００６３】
図５は、浴槽水利用装置１０が行う処理全体の概要を示している。浴槽水利用装置１０は、浴槽２内の残り湯をタンク１２に汲み上げる機能、浴槽２内の湯水を利用できない場合等に上水をタンク１２へ補給する機能、タンク１２内の湯水をトイレの便器３の洗浄水として排水する機能、中水補給管２１を上水で洗浄する機能、タンク１２内の湯水の熱でトイレを暖房する機能などを備えている。
【００６４】
浴槽水利用装置１０は、図５に示す処理を、電源がＯＮの間、継続的に繰り返し実行する。まず、リモコン４０の運転釦４２がＯＮされているか否かを調べ（ステップＳ２０１）、運転釦４２がＯＦＦの間は（ステップＳ２０１；Ｎｏ）、タンク１２の水位が最高水位となるように、上水をタンク１２に補給する（ステップＳ２０２）。
【００６５】
具体的には、タンク水位センサ１４の検出水位がタンク１２の最高水位か否かを調べ、最高水位でなければ上水電磁弁２４を開き、最高水位ならば上水電磁弁２４を閉じるといった制御を、運転釦４２がＯＦＦの間、繰り返し行う。なお、運転釦４２がＯＦＦの状態であっても手動フラッシュ弁２９を操作することでタンク１２から排水して便器３を洗浄することができる。
【００６６】
リモコン４０の運転釦４２がＯＮならば（ステップＳ２０１；Ｙｅｓ）、配管洗浄フラグがＯＮか否かを調べる（ステップＳ２０３）。配管洗浄フラグがＯＮならば（ステップＳ２０３；Ｙｅｓ）、配管洗浄処理を行って（ステップＳ２０４）、ステップＳ２０９へ移行する。
【００６７】
配管洗浄フラグがＯＦＦならば（ステップＳ２０３；Ｎｏ）、タンク水位センサ１４の検出するタンク１２内の水位が最高水位か否かを調べる（ステップＳ２０５）。最高水位であれば（ステップＳ２０５；Ｙｅｓ）、その旨を、リモコン４０の表示部４１に表示する（ステップＳ２０６）。たとえば、「タンク満水」等の表示を行う。そして、中水排水カウンタを０にリセットして（ステップＳ２０７）、ステップＳ２０９へ移行する。中水排水カウンタは、タンク１２に浴槽水または上水を補給してタンク１２を最高水位にしてからリモコン４０の中水排水釦４４の操作に応じて便器３を洗浄した回数を示すカウンタである。
【００６８】
タンク水位センサ１４の検出するタンク１２内の水位が最高水位でなければ（ステップＳ２０５；Ｎｏ）、タンク１２に浴槽水もしくは上水を補給するタンク補給処理を実行し（ステップＳ２０８）、ステップＳ２０９へ移行する。
【００６９】
ステップＳ２０９では、タンク１２内の湯水の熱でトイレを暖房するトイレ暖房処理を行う。
【００７０】
次に、リモコン４０の中水排水釦４４の押下に応じてタンク１２内の湯水を洗浄水として便器３に排水する排水処理を行う（ステップＳ２１０）。
【００７１】
次に、上水排水釦４５がＯＮか否かを調べる（ステップＳ２１１）。上水排水釦４５がＯＮならば（ステップＳ２１１；Ｙｅｓ）、上水排水フラグをＯＮにセットして（ステップＳ２１２）ステップＳ２１４へ移行する。上水排水釦４５がＯＦＦならば（ステップＳ２１１；Ｎｏ）、上水排水フラグをＯＦＦにセットして（ステップＳ２１３）ステップＳ２１４へ移行する。なお、上水排水フラグがＯＮにされているときは、浴槽水が利用可能か否かに係らず、タンク補給処理において上水がタンク１２へ補給される。
【００７２】
ステップＳ２１４では、中水利用連続運転時間が予め定めた設定運転時間未満か否かを調べる。中水利用連続運転時間は、前回、中水補給管２１を洗浄してからの経過時間である。中水利用連続運転時間は制御基板１８のＣＰＵ等が計時する。
【００７３】
中水利用連続運転時間が設定運転時間以上ならば（ステップＳ２１４；Ｎｏ）、配管洗浄フラグをＯＮにし（ステップＳ２１５）、ステップＳ２０１に戻って処理を継続する。中水利用連続運転時間が設定運転時間未満ならば（ステップＳ２１４；Ｙｅｓ）、ステップＳ２０１に戻って処理を継続する。
【００７４】
図６は、配管洗浄処理（図５のステップＳ２０４）の詳細を示している。配管洗浄処理では、タンク１２内の湯水を便器３へ流してタンク１２を空にした後、上水給水管２３から上水をタンク１２に貯めて最高水位にする。その後、浴槽２の栓が抜かれるのを待ち、浴槽２の栓が抜かれているときに、タンク１２内の水を中水補給管２１から浴槽２へ流して中水補給管２１を洗浄する、といった制御が行われる。
【００７５】
タンク１２を空にする際には、単に、タンク１２内の水を便器３に排水したのではもったいない。そこで、前回、タンク１２が最高水位にされてから、中水排水釦４４の押下に基づく便器３の洗浄が所定回数（ここでは４回）行われるまで待ち、タンク１２内の水量が十分少なくなったら、該タンク１２に残っているわずかの水を便器３へ強制的に排水してタンク１２を完全に空にする。タンク１２を空にすると、タンク水位センサ１４の第１の電極１４ａと第２の電極１４ｂが共に露出した状態になる。
【００７６】
その後、タンク１２に上水を最高水位まで補給する。上水を補給する際に、タンク１２内のタンク水位センサ１４が洗浄される。上水を補給し終えたら、浴槽２の栓が抜かれるのを待つ。配管洗浄では、中水補給管２１を洗浄した汚れた水を浴槽２内に排出するので、浴槽２の栓が抜けた状態で配管洗浄を行う必要がある。ここでは、栓が抜かれていることを、浴槽水位の急減少によって検出し、栓が抜かれているタイミングでタンク１２内の上水を中水補給管２１を通じて取水口２ａから浴槽２へ排出して中水補給管２１内を洗浄する。中水補給管２１を洗浄した汚い水は浴槽２の排水口から外部へ排出される。
【００７７】
浴槽水位の急減少とは、通常の蒸発や栓をした排水口からの漏れなどによる少しずつの水位低下は含まない。具体的には、浴槽の排水口として想定される最も小さい径の排水口から浴槽水が排水された場合の浴槽水位の低下速度を基準とし、この低下速度より一定の余裕量だけ遅い低下速度を閾値として急減少を判定する。たとえば、ここでは、５ｃｍ／分以上の速度で一定時間連続して水位が低下した場合を浴槽水位の急減少として検出する。なお、水位センサ１３が圧力センサの場合には、排水口に加わる水圧の推定値を圧力センサ１３の検出値から求めて水位の低下速度を補正しても良い。また、初回排水時の水位の低下具合（排水開始後の圧力センサ１３の検出圧力と時間との関係を示す曲線（グラフ））を記憶しておき、２回目以降の水位低下では、検出される水位の低下具合と初回排水時に記憶した水位の低下具合とを比較して、該水位低下が排水か否かを判断するようにしても良い。
【００７８】
なお、中水補給管２１の洗浄中に、浴槽２の水位が上昇した場合は、浴槽２の排水口に栓がされたと認識し、リモコン４０の表示部４１に「浴槽の栓を開にしてください」といった警告を表示する。
【００７９】
中水補給管２１の洗浄は、タンク１２から上水を中水補給管２１に流す期間と流さない期間とを交互に複数回生じさせて行う。中水補給管２１を洗浄した汚れた水が完全に中水補給管２１から抜けてから次の洗浄を行うことで、少ない水量で効率的に中水補給管２１を洗浄する。
【００８０】
ところで、風呂の自動運転が終了した後も浴槽２に水を入れたままにしておき、災害時の水の備蓄として浴槽水を利用したいと考えるユーザもいる。このようなユーザは、翌日の湯張り直前に浴槽２の栓を抜くので、浴槽２の栓が抜かれたことを検知して配管洗浄を自動的に開始する動作はこのようなユーザにとって不便である。そこで、浴槽２に湯を張ってから（水位検知してから）１５時間から２４時間の間は、配管の自動洗浄を禁止するように制御してもよい。
【００８１】
図６に沿って配管洗浄処理の詳細を説明する。
【００８２】
まず、排水完了フラグがＯＮか否かを調べる（ステップＳ３０１）。排水完了フラグは、タンク１２を空にし終えたか否かを示すフラグであり、ＯＮのとき、タンク１２が空であることを示す。
【００８３】
排水完了フラグがＯＮでなければ（ステップＳ３０１；Ｎｏ）、タンク１２の水位が最低水位未満か否かを調べる（ステップＳ３０２）。たとえば、タンク水位センサ１４として図２に示す構造のものを使用している場合、第２の電極１４ｂが水を検知していなければ、最低水位未満と判断する。
【００８４】
最低水位未満ならば（ステップＳ３０２；Ｙｅｓ）、ステップＳ３０５に移行する。タンク１２内に最低水位以上の水があれば、具体的には第２の電極１４ｂが水を検知していれば（ステップＳ３０２；Ｎｏ）、中水排水カウンタが４以上か否かを調べる（ステップＳ３０３）。すなわち、タンク１２が最高水位にされてから、中水排水釦４４に基づく便器３の洗浄が４回以上行われたか否かを調べる。
【００８５】
中水排水カウンタが４未満ならば（ステップＳ３０３；Ｎｏ）、本処理を一旦終了する（リターン）。なお、図５の処理は繰り返し継続的に行われるので、配管洗浄処理を一旦終了しても、配管洗浄フラグがＯＮの間は、図５の処理が一巡する毎に図６の配管洗浄処理が実行される。中水排水カウンタが４以上ならば（ステップＳ３０３；Ｙｅｓ）、ステップＳ３０５に移行する。
【００８６】
ステップＳ３０５では、排水電磁弁２８を開いて（ステップＳ３０５）タンク１２に残っていた水を便器３へ排水する。そして、タンク１２の水位が最低水位より下になってから５秒経過するのを待つことで（ステップＳ３０６；Ｎｏ）、タンク１２を完全に空にする。タンク１２の水位が最低水位以下になってから５秒が経過してタンク１２が完全に空になったら（ステップＳ３０６；Ｙｅｓ）、排水電磁弁２８を閉じて（ステップＳ３０７）、排水完了フラグをＯＮにする（ステップＳ３０８）。
【００８７】
次に、タンク１２に上水を補給して最高水位にする（ステップＳ３０９）。具体的には、タンク水位センサ１４の検出水位からタンク１２の水位が最高水位に達しているか否かを調べ、最高水位に達していなければ、上水電磁弁２４を開いてタンク１２に上水を補給し、タンク１２の水位が最高水位に達したら上水電磁弁２４を閉じる。なお、タンク１２に上水を補給したとき、リモコン４０の表示部４１に「中水なし、上水使用中」あるいは「上水使用中」といった表示を行う。
【００８８】
最高水位までタンク１２に上水を補給し終えたら、中水排水カウンタを０にリセットする（ステップＳ３１０）。そして、浴槽２の水位が急減少中か否かを調べ（ステップＳ３１１）、急減少中でなければ（ステップＳ３１１；Ｎｏ）、本処理を一旦終了する（リターン）。なお、図５の処理は繰り返し継続的に行われるので、急減少中でなく本処理を一旦終了した後、再び配管洗浄処理が実行される。そして、次の配管洗浄処理では、すでに排水完了フラグがＯＮにされているので、ステップＳ３０１でＹｅｓとなってステップＳ３０９へ移行して処理が継続される。つまり、浴槽２の水位が急減少するのを待つことになる。
【００８９】
浴槽２の水位が急減少中ならば（ステップＳ３１１；Ｙｅｓ）、浴槽２の水位が所定水位未満になるのを待つ（ステップＳ３１２；Ｙｅｓ）。所定水位は、たとえば、浴槽水位センサ１３が検出可能な最低水位としてもよいし、１５ｃｍ程度等、任意の低水位としてもよい。上記の所定水位未満を「浴槽水位なし」、所定水位以上を「浴槽水位あり」とする。
【００９０】
浴槽水位なしまで浴槽２の水位が低下したら（ステップＳ３１２；Ｎｏ）、中水補給管２１を開閉する中水電磁弁２２を開き、ポンプ１１を逆回転させて、タンク１２内の上水を浴槽２の取水口２ａに向けて流して、中水補給管２１内を洗浄する。
【００９１】
タンク１２内の水位が最低水位以下になったら（ステップＳ３１４；Ｙｅｓ）、中水電磁弁２２を閉じてポンプ１１を停止させ、上水電磁弁２４を開いて、タンク１２に再び上水を補給する（ステップＳ３１５）。このとき、浴槽水位ありになっていれば（ステップＳ３１６；Ｙｅｓ）、タンク１２内の水を中水補給管２１から浴槽２へ排出したことによって浴槽２の水位が上昇したので、浴槽の栓が閉じられたと推定できる。そこで、「浴槽の栓を開いてください」といった警告をリモコン４０の表示部４１に表示して（ステップＳ３１７）、ステップＳ３１６に戻る。警告表示は、浴槽水位なしになるまで継続される。
【００９２】
浴槽水位なしならば（ステップＳ３１６；Ｎｏ）、ステップＳ３１８へ移行する。また、タンク１２内の水位が最低水位以下でなければ（ステップＳ３１４；Ｎｏ）、ステップＳ３１８へ移行する。
【００９３】
ステップＳ３１８では、タンク１２内の水位が最高水位か否かを調べ、最高水位でなければ（ステップＳ３１８；Ｎｏ）、ステップＳ３２０へ移行する。最高水位に達したら（ステップＳ３１８；Ｙｅｓ）、中水補給管２１の中水電磁弁２２を開き、ポンプ１１を逆回転させ、上水電磁弁２４を閉じる（ステップＳ３１９）。すなわち、上水の補給を終了させ、タンク１２内の上水を中水補給管２１に流して中水補給管２１の洗浄を行う。
【００９４】
ステップＳ３２０では、洗浄時間が、予め設定された設定洗浄時間に達したか否かを調べる。設定洗浄時間の洗浄が完了していなければ（ステップＳ３２０；Ｎｏ）、ステップＳ３１４に戻って処理を継続する。ステップＳ３１４からＳ３２０の間の処理により、タンク１２から上水を中水補給管２１に流して洗浄する期間と流さない期間（洗浄休止期間）とを交互に生じる動作が、設定洗浄時間が完了するまで行われる。
【００９５】
設定洗浄時間が完了した場合は（ステップＳ３２０；Ｙｅｓ）、中水電磁弁２２を閉じ、ポンプ１１を停止させ、上水電磁弁２４を閉じる（ステップＳ３２１）。次に、配管洗浄フラグをＯＦＦにし、中水利用連続運転時間を０にリセットし、排水完了フラグをＯＦＦにして（ステップＳ３２２）、本処理を終了する（リターン）。
【００９６】
なお、リモコン４０の配管洗浄釦４６が操作された場合（手動の配管洗浄指示を受けた場合）は、本処理をステップＳ３０４から開始する。すなわち、配管洗浄フラグをＯＮにし（ステップＳ３０４）、ステップＳ３０５に移行する。
【００９７】
自動の配管洗浄はタンク１２がほぼ空になるのを待って行うので、場合によっては、このような状況がなかなか発生せず、自動の配管洗浄が長期間行われない可能性がある。そのため、ユーザからの指示（配管洗浄釦４６の操作）で配管洗浄を実施できるようにしてある。なお、配管洗浄フラグがＯＮになってからの経過時間が上限値を超えた場合には、ステップＳ３０２、Ｓ３０３をスキップしてステップＳ３０５に移行して、配管洗浄を強制的に実行するように構成されてもよい。あるいは配管洗浄フラグがＯＮになってからの経過時間が上限値を超えた場合に、リモコン４０の表示部４１に配管洗浄釦４６の操作を促す警告表示を行うようにしてもよい。
【００９８】
図７は、タンク補給処理（図５のステップＳ２０８）を示している。タンク補給処理では、タンク１２内の水量が一定以上減っている場合に、浴槽２から浴槽水をタンク１２へ汲み上げて補給する、もしくは、上水給水管２３を通じて上水をタンク１２へ補給する。本処理では、浴槽２からタンク１２へ浴槽水を汲み上げる動作は、風呂の自動運転が終了していることを条件として、以下のタイミングで行われる。
【００９９】
（１）風呂の自動運転が終了した直後
（２）浴槽水位が急減少したとき
（３）中水排水による便器３の洗浄が２回行われる毎
ここでは（１）の補給動作は、タンク１２内の水量が一定以上減っている場合のみ行う。ただし、タンク１２内の水量が一定以上減っていなくても、風呂の自動運転が終了した直後に浴槽水を汲み上げてタンク１２を最高水位にするように構成されてもよい。
【０１００】
上水の補給は、浴槽水を利用できない（風呂の自動運転が終了していない、または浴槽水位がない）場合、上水排水モードに設定されている場合に行われる。
【０１０１】
風呂の自動運転が終了した直後にタンク１２に浴槽水を補給することで、まだ暖かい風呂の残り湯をタンク１２に補給することができ、後述するタンク１２内の湯の熱を利用したトイレ暖房を効率的に行うことができる。
【０１０２】
図７のタンク補給処理の詳細を説明する。まず、浴槽２に一定以上の浴槽水がある（浴槽水位あり）か否かを調べる（ステップＳ４０１）。浴槽水位なしならば（ステップＳ４０１；Ｎｏ）、中水排水カウンタが３以上か否かを調べ、３以上でなければ（ステップＳ４０２；Ｎｏ）、タンク１２に水がまだあるので、水を補給せずに本処理を終了する（リターン）。
【０１０３】
浴槽水位なし（ステップＳ４０１；Ｎｏ）かつ中水排水カウンタが３以上ならば（ステップＳ４０２；Ｙｅｓ）、タンク１２に上水を補給してタンク１２の水位を最高水位にする（ステップＳ４０３）。そして、中水排水カウンタを０にリセットして（ステップＳ４０４）、本処理を終了する（リターン）。
【０１０４】
浴槽２に一定以上の浴槽水がある（浴槽水位あり）ならば（ステップＳ４０１；Ｙｅｓ）、浴槽２の水位が急減少中か否かを調べる（ステップＳ４０５）。浴槽２の水位が急減少中でなければ（ステップＳ４０５；Ｎｏ）、中水排水カウンタが２以上か否かを調べる（ステップＳ４０６）。中水排水カウンタが２以上でなければ（ステップＳ４０６；Ｎｏ）、タンク１２に水がまだあるので、水を補給せずに本処理を終了する（リターン）。
【０１０５】
中水排水カウンタが２以上の場合（ステップＳ４０６；Ｙｅｓ）、もしくはステップＳ４０５で浴槽２の水位が急減少中の場合（ステップＳ４０５；Ｙｅｓ）は、上水排水フラグがＯＮか否かを調べる（ステップＳ４０７）。上水排水フラグがＯＮならば（ステップＳ４０７；Ｙｅｓ）、上水排水釦４５が操作されて上水排水モードに設定されているので、ステップＳ４０３へ移行する。
【０１０６】
上水排水フラグがＯＮでなければ（ステップＳ４０７；Ｎｏ）、湯張り終了フラグがＯＮか否かを調べる（ステップＳ４０８）。湯張り終了フラグがＯＮでなければ（ステップＳ４０８；Ｎｏ）、風呂の自動運転が終了していないので（運転中）、ステップＳ４０２へ移行し、中水排水カウンタが３以上ならばタンク１２へ上水を補給する処理を行う。
【０１０７】
湯張り終了フラグがＯＮならば（ステップＳ４０８；Ｙｅｓ）、浴槽２から浴槽水を汲み上げてタンク１２に補給する。詳細には、浴槽２の排水栓が開かれてから取水口２ａまで水位が低下するのに、早い場合で２〜３分位なので、全揚程２ｍ位＋α（＋α＝損失水頭＋吐出管端速度水頭）の時、流量が２０〜３０リットル／分のポンプ１１を運転し中水補給管２１の中水電磁弁２２を開く（ステップＳ４０９）。その後、タンク１２内の水位が最高水位に達したら（ステップＳ４１０；Ｙｅｓ）、ポンプ１１を停止させ、中水電磁弁２２を閉じる（ステップＳ４１２）。さらに、中水排水カウンタを０にリセットして（ステップＳ４１３）、本処理を終了する（リターン）。
【０１０８】
タンク１２内の水位が最高水位に達する前に（ステップＳ４１０；Ｎｏ）、浴槽２内の浴槽水が無くなった（浴槽水位なしになった）場合は（ステップＳ４１１；Ｎｏ）、ポンプ１１を停止させ、中水電磁弁２２を閉じた後（ステップＳ４１４）、ステップＳ４０２へ移行して上水補給に切り替える。
【０１０９】
次に、トイレ暖房について説明する。
【０１１０】
浴槽水利用装置１０はタンク１２内の湯水の熱を利用してトイレを暖房する。具体的には、タンク１２内の湯水の熱を放熱する熱交換器３１にファン３２で風を送り、その風をトイレの天井に設けた通気口３３からトイレの室内に送り出して暖房する。また、トイレの換気ファン３７と放熱部１７のファン３２の動作を制御してトイレ使用時の換気と効率的な暖房の両立を図っている。
【０１１１】
具体的には、人感センサ３５で人を検知し、トイレ使用中および使用後所定時間が経過するまでは、換気ファン３７を動作させて換気し、放熱部１７のファン３２を停止（暖房を停止）させる。他の期間では換気ファン３７を停止させる。また、他の期間では、タンク１２内の湯水の温度が暖房可能な温度以上であれば、放熱部１７のファン３２を動作させてトイレを暖房するようになっている。
【０１１２】
トイレ暖房を行う場合、タンク１２は保温構造にすることが好ましい。
【０１１３】
図８はトイレ暖房処理（図５のステップＳ２０９）の詳細を示している。この処理は図５の処理が一巡する毎に繰り返し実行される。トイレに設けた人感センサ３５がＯＮ（人を検知）になっている場合は（ステップＳ５０１；Ｙｅｓ）、換気ファン３７を動作させ（ステップＳ５０４）、放熱部１７のファン３２を停止させて（ステップＳ５０５）、本処理を終了する（リターン）。
【０１１４】
人感センサ３５がＯＦＦ（人を検知せず）になっている場合は（ステップＳ５０１；Ｎｏ）、リモコン４０のトイレ暖房釦４９によりトイレ暖房がＯＮに設定されているか否かを調べる（ステップＳ５０２）。トイレ暖房がＯＮに設定されている場合は（ステップＳ５０２；Ｙｅｓ）、タンク１２内の水温（温度センサ１５の検出温度）が、暖房設定温度に所定温度（たとえば、１０℃）を加えた温度（暖房可能温度とする）より高いか否かを調べる（ステップＳ５０３）。
【０１１５】
タンク１２内の水温（温度センサ１５の検出温度）が暖房可能温度以下の場合は（ステップＳ５０３；Ｎｏ）、放熱部１７のファン３２をＯＦＦにして（ステップＳ５０５）、本処理を終了する（リターン）。
【０１１６】
タンク１２内の水温（温度センサ１５の検出温度）が暖房可能温度より高い場合は（ステップＳ５０３；Ｙｅｓ）、人感センサ３５がＯＦＦになってから所定時間が経過しているか否かを調べる（ステップＳ５０６）。人感センサ３５がＯＦＦになってから所定時間が経過していない場合は（ステップＳ５０６；Ｎｏ）、換気中なので、暖房せずに本処理を終了する（リターン）。人感センサ３５がＯＦＦになってから所定時間が経過している場合は（ステップＳ５０６；Ｙｅｓ）、換気ファン３７をＯＦＦにし（ステップＳ５０７）、放熱部１７のファン３２をＯＮにして（ステップＳ５０８）トイレの暖房を行って、本処理を終了する（リターン）。所定時間はリモコン４０等にて任意に設定変更可能にされている。たとえば、３分から１０分の間で設定可能にされる。
【０１１７】
トイレ暖房がＯＦＦに設定されている場合は（ステップＳ５０２；Ｎｏ）、放熱部１７のファン３２をＯＦＦにする（ステップＳ５０９）。そして、人感センサ３５がＯＦＦになってから所定時間が経過していない場合は（ステップＳ５１０；Ｎｏ）、本処理を終了して（リターン）換気を継続し、人感センサ３５がＯＦＦになってから所定時間が経過している場合は（ステップＳ５１０；Ｙｅｓ）、トイレの換気ファン３７をＯＦＦにして（ステップＳ５１１）換気を停止させて、本処理を終了する（リターン）。
【０１１８】
このように、使用時以外はトイレの換気ファン３７を停止させるので、タンク１２内の湯の熱を利用してトイレを効率的に暖房することができる。また、トイレ使用中および使用後の所定時間が換気ファン３７を動作させて換気を確保すると共に、この間、放熱部１７のファン３２を停止させるので、タンク１２内の熱が無駄に放出されなくなり、タンク１２内の湯水の熱を有効に利用することができる。
【０１１９】
次に、タンク１２の湯水を排水して便器３を洗浄する排水処理について説明する。
【０１２０】
排水処理では、リモコン４０の中水排水釦４４が押下されたらタンク１２内の水を設定量だけ便器３へ排水する。排水中に、タンク１２内の水が不足した場合は、タンク１２に上水を補給しながら排水を継続し、設定量の排水が完了した後に、タンク１２が最高水位になるまで上水をタンク１２に補給する。このケースは、停電からの復旧後などに生じ得る。
【０１２１】
浴槽水利用装置１０は、タンク１２に上水または浴槽水を最高水位まで補給した場合に中水排水カウンタを０にリセットし、中水排水釦４４の操作によって便器３を洗浄する毎に中水排水カウンタを＋１し、中水排水カウンタが２以上になったら再びタンク１２に上水または浴槽水を補給する、というように動作している。すなわち、便器３を２回洗浄する毎にタンク１２に水を補給している。タンク１２の容量は便器３の洗浄を４回程行える量なので、上記のように２回の洗浄毎に補給していれば、タンク１２から便器３への排水中にタンク１２内の水が不足することはない。
【０１２２】
しかし、停電すると、中水排水カウンタが０にリセットされるので、たとえば、中水排水カウンタを２にカウントアップしたとき停電が生じると、停電から復旧したとき、タンク１２内の水量が便器３の洗浄２回分減っているにもかかわらず中水排水カウンタは０である。そのため、水の補給が行われないままタンク１２から便器３へ排水が行われ、排水中にタンク１２の水が不足する事態が生じる。
【０１２３】
なお、中水排水カウンタを電源がＯＦＦしてもリセットされない（カウント値を失わない）不揮発性のカウンタで構成したとしても、停電中に手動フラッシュ弁２９が操作されてタンク１２から便器３へ排水した場合には、停電から復旧したときのタンク１２内の水位と中水排水カウンタの値が不一致になり、停電から復旧後にタンク１２から便器３へ排水している最中にタンク１２内の水が不足する現象が生じ得る。
【０１２４】
図９は、排水処理（図５のステップＳ２１０）の詳細を示している。この処理は図５の処理が一巡する毎に繰り返し実行される。浴槽水利用装置１０は、リモコン４０の中水排水釦４４が押下されてＯＮにされたか否かを調べる（ステップＳ６０１）。中水排水釦４４がＯＮにされていない場合は（ステップＳ６０１；Ｎｏ）、本処理を終了する（リターン）。
【０１２５】
中水排水釦４４がＯＮにされた場合は（ステップＳ６０１；Ｙｅｓ）、中水排水カウンタをカウントアップ（＋１）する（ステップＳ６０２）。続いて排水部１６の排水電磁弁２８を開き（ステップＳ６０３）、タンク１２から排水配管２６を通じて便器３へ排水すると共に、排水量をフローセンサ２７で計測する。
【０１２６】
排水中は、排水量が設定水量に達したか否か（ステップＳ６０４）および排水中にタンク１２の水が不足した（タンク水位センサ１４の第２の電極１４ｂが水位を検出しなくなった）か否かを監視する（ステップＳ６０５）。
【０１２７】
排水中にタンク１２の水が不足したときは（ステップＳ６０５；Ｙｅｓ）、手動上水使用フラグをＯＮにセットし（ステップＳ６０６）、上水給水管２３の上水電磁弁２４を開いて（ステップＳ６０７）、ステップＳ６０４に戻り、排水を継続する。すなわち、タンク１２から排水しながらタンク１２に上水を補給する。
【０１２８】
排水量が設定水量に達したら（ステップＳ６０４；Ｙｅｓ）、排水電磁弁２８を閉じてタンク１２からの排水を止めると共に（ステップＳ６０８）、上水電磁弁２４を閉じてタンク１２への上水の補給を停止させる（ステップＳ６０９）。その後、手動上水使用フラグがＯＮか否かを調べ、ＯＮでなければ（ステップＳ６１０；Ｎｏ）、本処理を終了する（リターン）。手動上水使用フラグがＯＮならば（ステップＳ６１０；Ｙｅｓ）、タンク１２が最高水位になるまで上水をタンク１２に補給し（ステップＳ６１１）、手動上水使用フラグをＯＦＦにリセットして（ステップＳ６１２）、本処理を終了する（リターン）。
【０１２９】
次に、本発明の第２の実施の形態について説明する。
【０１３０】
第２の実施の形態では、ポンプ１１、浴槽水位センサ１３を、浴槽２への湯張り及び追い焚きを行う風呂給湯器が備えている風呂の追い焚き回路の循環ポンプ、および水位センサで代用する。
【０１３１】
図１０は、第２の実施の形態に係る浴槽水利用装置１０Ｂの構成および設置状態を示している。図１に示した第１の実施の形態に係る浴槽水利用装置１０と同一箇所には同一の符号を付してあり、それらの説明は適宜省略する。
【０１３２】
浴槽２への湯張りおよび追い焚きは風呂給湯器６０が行う。風呂給湯器６０は、風呂の追い焚きを行うための熱交換器６１と、熱交換器６１を加熱するバーナー６２と、熱交換器６１の入り側と浴槽２の取水口２ａとを結ぶ風呂戻り管６３と、熱交換器６１の出側と取水口２ａとを結ぶ風呂往き管６４と、風呂戻り管６３の途中に介挿された循環ポンプ６５と、浴槽２内の水位を検出する水位センサ（圧力センサ）６６とを備えている。浴槽２から風呂戻り管６３、熱交換器６１、風呂往き管６４を通って浴槽２へ戻る循環経路（追い焚き回路）が形成されており、循環ポンプ６５はこの追い焚き回路に浴槽水を循環させる機能を果たす。
【０１３３】
風呂往き管６４の途中には三方弁６７が介挿されており、該三方弁６７を介して風呂往き管６４から中水補給管２１が分岐している。中水補給管２１は、第１の実施の形態と同様に、タンク１２に通じている。三方弁６７は、熱交換器６１の出側と取水口２ａとを連通させた状態（浴槽側とする）と、熱交換器６１の出側と中水補給管２１とを連通させた状態（タンク側とする）に切り替える。
【０１３４】
第２の実施の形態に係る浴槽水利用装置１０Ｂでは、浴槽２内の浴槽水をタンク１２へ汲み上げて補給するとき、三方弁６７をタンク側に切り替えて、風呂給湯器６０に追い焚き動作を行わせる。すなわち、循環ポンプ６５を動作させ、バーナー６２を燃焼（追い焚き燃焼）させることで、浴槽水を加熱し昇温してタンク１２に補給する。昇温した浴槽水を補給することで、タンク１２内の湯水の熱量、すなわち、トイレ暖房に利用可能な熱量を増やすことができる。ここでは、浴槽水を高温に加熱してタンク１２に補給することで、タンク１２内を殺菌する。
【０１３５】
このほか、風呂給湯器６０は、給湯機能を備えており、配管を通じて外部の水栓や浴槽２、タンク１２へ湯を供給する機能を備えている。
【０１３６】
第２の実施の形態に係る浴槽水利用装置１０Ｂが行う処理は、以下に示す相違点を除き、第１の実施の形態に係る浴槽水利用装置１０と同一である。第２の実施の形態に係る浴槽水利用装置１０Ｂが行う処理のうち、図５のステップＳ２０８で行われるタンク補給処理は第１の実施の形態と相違する。
【０１３７】
図１１は、浴槽水利用装置１０Ｂが行うタンク補給処理を示している。図７に示すタンク補給処理との相違は、浴槽水をタンク１２へ補給する際に風呂給湯器６０で浴槽水を加熱する点であり、その他は同一である。図１１では、図７と同一内容のステップには同一のステップ番号を付してある。
【０１３８】
図１１に示すタンク補給処理では、タンク１２に浴槽水を最高水位まで補給し終えたときに、タンク１２内の水温が殺菌可能温度（ここでは６０℃とする）以上になるように、補給する湯の温度を制御する。すなわち、追い焚き動作を行う風呂給湯器６０の燃焼量を制御する。また、追い焚き動作で浴槽水をタンク１２へ補給している途中で浴槽２内の浴槽水が不足した場合は、風呂給湯器６０の給湯動作によってタンク１２に湯を補給する。この場合も最高水位まで補給したときにタンク１２内の水温が６０℃以上になるように補給する湯の温度を制御する。すなわち、給湯動作を行う風呂給湯器６０の燃焼量を制御する。
【０１３９】
図１１の処理では、まず、浴槽２に一定以上の浴槽水がある（浴槽水位あり）か否かを調べる（ステップＳ４０１）。浴槽水位なしならば（ステップＳ４０１；Ｎｏ）、中水排水カウンタが３以上か否かを調べ、３以上でなければ（ステップＳ４０２；Ｎｏ）、タンク１２に水がまだあるので、水を補給せずに本処理を終了する（リターン）。
【０１４０】
浴槽水位なし（ステップＳ４０１；Ｎｏ）かつ中水排水カウンタが３以上ならば（ステップＳ４０２；Ｙｅｓ）、タンク１２に上水を補給してタンク１２の水位を最高水位にする（ステップＳ４０３）。そして、中水排水カウンタを０にリセットして（ステップＳ４０４）、本処理を終了する（リターン）。
【０１４１】
浴槽２に一定以上の浴槽水がある（浴槽水位あり）ならば（ステップＳ４０１；Ｙｅｓ）、浴槽２の水位が急減少中か否かを調べる（ステップＳ４０５）。浴槽２の水位が急減少中でなければ（ステップＳ４０５；Ｎｏ）、中水排水カウンタが２以上か否かを調べる（ステップＳ４０６）。中水排水カウンタが２以上でなければ（ステップＳ４０６；Ｎｏ）、タンク１２に水がまだあるので、タンク１２に水を補給せずに本処理を終了する（リターン）。
【０１４２】
中水排水カウンタが２未満の場合（ステップＳ４０６；Ｙｅｓ）、もしくはステップＳ４０５で浴槽２の水位が急減少中の場合（ステップＳ４０５；Ｙｅｓ）は、上水排水フラグがＯＮか否かを調べる（ステップＳ４０７）。上水排水フラグがＯＮならば（ステップＳ４０７；Ｙｅｓ）、上水排水釦４５が操作されて上水排水モードに設定されているので、ステップＳ４０２へ移行する。
【０１４３】
上水排水フラグがＯＮでなければ（ステップＳ４０７；Ｎｏ）、湯張り終了フラグがＯＮか否かを調べる（ステップＳ４０８）。湯張り終了フラグがＯＮでなければ（ステップＳ４０８；Ｎｏ）、風呂の自動運転が終了していないので（運転中）、ステップＳ４０２へ移行し、中水排水カウンタが３以上ならばタンク１２へ上水を補給する処理を行う。
【０１４４】
湯張り終了フラグがＯＮならば（ステップＳ４０８；Ｙｅｓ）、風呂給湯器６０の追い焚き動作により、タンク１２に加熱した浴槽水を補給する。
【０１４５】
詳細には、風呂給湯器６０の循環ポンプ６５を動作させ、三方弁６７をタンク側へ切り替え、風呂給湯器６０からタンク１２へ送り出される湯の温度が６０℃以上になるように風呂給湯器６０を設定して追い焚き燃焼を開始させ、中水電磁弁２２を開く（ステップＳ４３１）。
【０１４６】
その後、タンク１２内の水位が最高水位に達したら（ステップＳ４３２；Ｙｅｓ）、循環ポンプ６５を停止させ、三方弁６７を浴槽側に切り替え、風呂給湯器６０の追い焚き燃焼を停止させ、中水電磁弁２２を閉じて（ステップＳ４３４）、中水排水カウンタを０にリセットして（ステップＳ４３５）、本処理を終了する（リターン）。
【０１４７】
タンク１２内の水位が最高水位に達する前に（ステップＳ４３２；Ｎｏ）、浴槽２内の湯水が無くなった（浴槽水位なしになった）場合は（ステップＳ４３３；Ｎｏ）、中水電磁弁２２を閉じ、循環ポンプ６５を停止させ、三方弁６７を浴槽側に切り替え、風呂給湯器６０の追い焚き燃焼を停止させる（ステップＳ４３６）。
【０１４８】
次に、何度の湯をタンク１２に注湯すればよいかを演算する（ステップＳ４３７）。詳細には、タンク１２に設けた温度センサ１５の検出温度と、タンク水位センサ１４の検出水位とから、最高水位に達したときにタンク１２内の水温を６０℃以上にするための注湯温度を算出する。この場合、タンク水位センサ１４は圧力センサのように任意の水位を検出する必要がある。
【０１４９】
具体的には、タンク１２内の現在の水温をＴ１、タンク水位センサ１４の検出水位に基づいて求めたタンク１２内の現在の水量をＶ１、タンク１２の最高水位での水量をＶmax、最高水位になったときのタンク１２内の目標水温をＴａ、風呂給湯器６０からの注湯温度をＴｂとすると、
Ｖ１×Ｔ１＋（Ｖmax-Ｖ１）×Ｔｂ≧Ｖmax×Ｔａ  
の関係が成立するようにＴｂを決定する。たとえば、Ｔａは６０℃にされる。なお、タンク１２が満水になる前の所定水位で殺菌可能温度に到達させたい場合は、注湯温度をさらに高くすればよい。上記の式では、Ｖmaxの代わりに所定水位での水量を代入してＴａを求めればよい。
【０１５０】
次に、算出した注湯温度の湯が出るように風呂給湯器６０を給湯燃焼させ、給水を加熱して得た湯を風呂給湯器６０から中水補給管２１を通じてタンク１２に補給する。このとき、リモコン４０の表示部４１には、「中水なし、給湯水使用中」といった表示を行う（ステップＳ４３８）。
【０１５１】
タンク１２の水位が最高水位に到達するまで上記の湯の補給動作を行い（ステップＳ４３９；Ｎｏ）、タンク１２の水位が最高水位に達したら（ステップＳ４３９；Ｙｅｓ）、風呂給湯器６０からタンク１２への湯の補給動作を停止させる（ステップＳ４４０）。その後、中水排水カウンタを０にリセットして（ステップＳ４４１）、本処理を終了する（リターン）。
【０１５２】
このように、タンク１２に高温の湯を補給して、タンク１２内の水温が殺菌可能温度以上になるようにしたのでタンク１２内が殺菌され、細菌の繁殖により、タンク内が汚れたり、臭いが発生したりすることが抑制される。
【０１５３】
また、タンク１２に湯を補給するので、タンク１２内の水温が暖房可能温度より低くなることが少なくなり、タンク１２内の湯の熱を利用したトイレ暖房を継続して行うことができる。
【０１５４】
なお、タンク１２に湯を補給するとき、次のように湯の温度を制御してもよい。まず、湯の補給を開始してからタンク１２内の水温（温度センサ１５の検出温度）が殺菌可能温度に達するまでは、殺菌可能温度より高い温度Ｔｃに昇温した湯をタンク１２に補給し、タンク１２内の水温が殺菌可能温度に達した後は、少なくとも殺菌可能温度に昇温した湯をタンク１２に補給する。
【０１５５】
たとえば、温度Ｔｃを風呂給湯器６０で昇温可能な最高温度にすると、タンク１２内の水温が殺菌可能温度に到達する前にタンク１２が最高水位に達する可能性を少なくすることができる。具体例では、補給開始当初は８０℃の湯をタンク１２に補給し、タンク１２内の水温が６０℃になったら、以後は６０℃の湯をタンク１２に補給すれば、最高水位に到達したときタンク１２内の水温を６０℃にすることができる。この方法では、タンク１２の水位を圧力センサなどで検出する必要がなく、タンク水位センサ１４として簡易なものを利用できる利点がある。
【０１５６】
なお、浴槽水をタンク１２へ移送する途中で加熱する装置は、風呂給湯器６０に限定されず、別途の熱源機であってもかまわない。
【０１５７】
また、給湯機能で加熱した湯を風呂給湯器６０からタンク１２へ送る経路は、たとえば、中水補給管２１としてもよいし、別途の配管としてもよい。
【０１５８】
また、タンク１２の殺菌を行わない場合には、昇温する温度は暖房可能温度より高い温度であればよく、殺菌可能温度より低くてもよい。
【０１５９】
また、風呂給湯器６０による浴槽水の昇温は、浴槽２からタンク１２への浴槽水の移送中に行ってもよいし、浴槽２内の湯水を通常の追い焚き動作によって昇温してからタンク２へ移送してもよい。ただし、後者の場合、人がやけどしない程度の温度（たとえば、４５℃まで）の昇温に押えることが望ましい。
【０１６０】
次に、本発明の第３の実施の形態について説明する。
【０１６１】
図１２は、本発明の第３の実施の形態に係る浴槽水利用装置１０Ｃの構成および設置状態を示している。図１に示した第１の実施の形態に係る浴槽水利用装置１０と同一箇所には同一の符号を付してあり、それらの説明は適宜省略する。
【０１６２】
第３の実施の形態では、タンク１２内に熱交換器５８を備えており、この熱交換器５８でタンク１２内の水を昇温して殺菌する機能を備えている。タンク１２内の水を昇温することで、トイレ暖房のための熱を得ることができる。また、タンク１２内の水を殺菌可能温度まで昇温することでタンク１２の殺菌が可能になる。ここでは、殺菌可能温度まで昇温する例について説明する。なお、殺菌せず、トイレ暖房の目的のみに昇温する場合は、暖房可能温度以上に昇温すれば足りる。
【０１６３】
風呂給湯器７０は浴槽２への湯張りおよび追い焚きを行う機能のほか、熱交換器５８を経由する循環回路７４に風呂給湯器７０で加熱した熱媒体を循環させる機能（暖房機能とする）を備えている。風呂給湯器７０は、循環回路７４を循環する熱媒体を加熱するための熱交換器７１と、熱交換器７１を加熱するバーナー７２と、循環回路７４に熱媒体を循環させるための循環ポンプ７３を備えている。循環回路７４に室内暖房用の放熱器を接続すれば、室内の暖房等を行うことも可能になっている。
【０１６４】
浴槽水利用装置１０Ｃは、タンク１２を殺菌するとき、バーナー７２を燃焼させ、循環ポンプ７３を作動させる暖房運転を風呂給湯器７０に行わせて、タンク１２内の湯水を殺菌可能温度以上に昇温する。浴槽水利用装置１０Ｃは暖房運転による殺菌処理を所定の設定時間が経過する毎に実行する。
【０１６５】
また、浴槽水利用装置１０Ｃは、図８のトイレ暖房処理に代えて、図１３に示すトイレ暖房処理を行う。図１３のトイレ暖房処理では、タンク１２内の水温が暖房可能温度（暖房設定温度＋所定温度）以下の場合に、風呂給湯器７０を暖房運転し、熱交換器５８からの放熱でタンク１２内の湯水を昇温する。
【０１６６】
図１３では、図８のトイレ暖房処理と同一内容のステップには同一のステップ番号を付してある。まず、トイレに設けた人感センサ３５がＯＮ（人を検知）になっている場合は（ステップＳ５０１；Ｙｅｓ）、換気ファン３７を動作させて換気し（ステップＳ５０４）、放熱部１７のファン３２を停止させて（ステップＳ５０５）、本処理を終了する（リターン）。
【０１６７】
人感センサ３５がＯＦＦ（人を検知せず）になっている場合は（ステップＳ５０１；Ｎｏ）、リモコン４０のトイレ暖房釦４９によりトイレ暖房がＯＮに設定されているか否かを調べる（ステップＳ５０２）。トイレ暖房がＯＮに設定されている場合は（ステップＳ５０２；Ｙｅｓ）、タンク１２内の水温（温度センサ１５の検出温度）が、暖房可能温度より高いか否かを調べる（ステップＳ５０３）。
【０１６８】
タンク１２内の水温（温度センサ１５の検出温度）が暖房可能温度以下の場合は（ステップＳ５０３；Ｎｏ）、風呂給湯器７０による暖房運転を開始し（ステップＳ５２０）、タンク１２内の水温が殺菌可能温度（ここでは６０℃）以上になるまで（ステップＳ５２１；Ｎｏ）、暖房運転を継続し、タンク１２内の水温が殺菌可能温度になったら（ステップＳ５２１；Ｙｅｓ）、暖房運転を停止して（ステップＳ５２２）、本処理を終了する（リターン）。
【０１６９】
タンク１２内の水温（温度センサ１５の検出温度）が暖房可能温度より高い場合は（ステップＳ５０３；Ｙｅｓ）、人感センサ３５がＯＦＦになってから所定時間が経過しているか否かを調べる（ステップＳ５０６）。人感センサ３５がＯＦＦになってから所定時間が経過していない場合は（ステップＳ５０６；Ｎｏ）、換気を継続して、本処理を終了する（リターン）。人感センサ３５がＯＦＦになってから所定時間が経過している場合は（ステップＳ５０６；Ｙｅｓ）、換気ファン３７をＯＦＦにし（ステップＳ５０７）、放熱部１７のファン３２をＯＮにして（ステップＳ５０８）、本処理を終了する（リターン）。
【０１７０】
トイレ暖房がＯＦＦに設定されている場合は（ステップＳ５０２；Ｎｏ）、放熱部１７のファン３２をＯＦＦにする（ステップＳ５０９）。そして、人感センサ３５がＯＦＦになってから所定時間が経過していない場合は（ステップＳ５１０；Ｎｏ）、本処理を終了し（リターン）、人感センサ３５がＯＦＦになってから所定時間が経過している場合は（ステップＳ５１０；Ｙｅｓ）、トイレの換気ファン３７をＯＦＦにして（ステップＳ５１１）本処理を終了する（リターン）。
【０１７１】
図１４は、殺菌処理の詳細を示している。殺菌処理は、図５の処理が一巡する毎に実行される。たとえば、ステップＳ２０９とステップＳ２１０の間に挿入される。
【０１７２】
まず、トイレ暖房がＯＦＦか否かを調べ（ステップＳ７０１）、トイレ暖房がＯＮの場合は（ステップＳ７０１；Ｎｏ）、本処理を終了する（リターン）。図１３に示したように、リモコン４０のトイレ暖房釦４９がＯＮにされている間はトイレ暖房のための暖房運転によりタンク１２の殺菌が行われるので、当該殺菌処理での殺菌は、トイレ暖房釦４９がＯＦＦの場合のみ実行される。
【０１７３】
トイレ暖房がＯＦＦならば（ステップＳ７０１；Ｙｅｓ）、前回の殺菌から所定の設定時間が経過したか否かを調べる（ステップＳ７０２）。前回の殺菌から所定の設定時間が経過していなれば（ステップＳ７０２；Ｎｏ）、本処理を終了する（リターン）。
【０１７４】
前回の殺菌から所定の設定時間が経過している場合は（ステップＳ７０２；Ｙｅｓ）、風呂給湯器７０による暖房運転を開始する（ステップＳ７０３）。タンク１２内の水温が殺菌可能温度（ここでは６０℃）以上になるまで（ステップＳ７０４；Ｎｏ）暖房運転を継続し、タンク１２内の水温が殺菌可能温度になったら（ステップＳ７０４；Ｙｅｓ）、暖房運転を停止して（ステップＳ７０５）、本処理を終了する（リターン）。
【０１７５】
なお、図１３のトイレ暖房処理において、前回の殺菌から所定の設定時間が経過したか否かを調べ、経過していない場合は暖房可能温度以上で殺菌可能温度より低い所定の温度に昇温し、経過している場合は殺菌可能温度に昇温するようにしてもよい。
【０１７６】
図１５は、第２の実施の形態で示した風呂給湯器６０に、第３の実施の形態の風呂給湯器７０が有する暖房機能を具備させた場合の構成例（浴槽水利用装置１０Ｄ）を示している。この場合、タンク１２内の殺菌は第２の実施の形態で示した方法と第３の実施の形態で示した方法のいずれで行ってもよい。
【０１７７】
次に、本発明の第４の実施の形態について説明する。
【０１７８】
第１から第３の実施の形態では、タンク１２からきれいな水を中水補給管２１に流して中水補給管２１の洗浄を行ったが、第４の実施の形態では、上水給水管２３を通じて供給される水（上水）を、逆流防止機能付き電磁弁を介して中水補給管２１に送り込んで中水補給管２１を洗浄する。
【０１７９】
図１６は、逆流防止機能付き電磁弁８０の構成例を示している。逆流防止機能付き電磁弁８０は、上水系と中水などの他の系とが直接接続される、所謂、クロスコネクションを防止する機能を備えた電磁弁である。
【０１８０】
逆流防止機能付き電磁弁８０は、上水の給水管が接続される入口８１と、他の系の配管が接続される出口８２と、他の系の配管から逆流してきた水を排水する排水口８３を備えている。
【０１８１】
内部には、電磁弁８４と、第１弁８５と、第２弁８６と、第３弁８７を備えている。入口８１と出口８２の間の通水路に、入口８１側から順に、電磁弁８４、第１弁８５、第２弁８６が直列に配列されている。電磁弁８４、第１弁８５、第２弁８６はそれぞれ通水路を開閉する。
【０１８２】
第１弁８５、第２弁８６は、通水路を閉じる方向にバネで付勢されており、給水管から入口８１に上水が供給されて水圧がかかった状態で電磁弁８４を開くと、上水の水圧によって第１弁８５が開き、さらにその後段の第２弁８６も開く。
【０１８３】
排水口８３は排水路を通じて第１弁８５と第２弁８６の間に通じており、第３弁８７は該排水路に介挿されて該排水路を開閉する。第３弁８７は開く方向にバネで付勢されている。給水管から入口８１に上水が供給されて第３弁８７の操作部に水圧がかかると第３弁８７が閉じ、上水が断水して第３弁８７の操作部に水圧がかからなくなると第３弁８７が開くようになっている。
【０１８４】
図１６（ａ）は、断水時の状態を示している。断水すると第３弁８７が開くので、仮に出口８２側から中水が逆流してきても排水口８３へ排出される。図１６（ｂ）は、上水が供給された通常状態で電磁弁８４を開いた状態を示している。図１６（ｃ）は通常状態で電磁弁８４を閉じた状態を示している。図中、の流れを破線で示してある。
【０１８５】
図１７は、第４の実施の形態に係る浴槽水利用装置１０Ｅの構成例を示している。なお、図１７では、トイレ暖房や臭い防止のための換気など中水補給管２１の洗浄に関係ない部分については適宜省略してある。また、図１と同一部分には同一の符号を付してある。
【０１８６】
浴槽水利用装置１０Ｅは、順方向の入口８１に上水給水管２３が接続された逆流防止機能付き電磁弁８０Ａと、逆流防止機能付き電磁弁８０Ａの出口８２に一端が接続され、他端が中水補給管２１のタンク１２側の端部近傍に合流された上水送出管９１と、中水補給管２１のうちの上水送出管９１の合流箇所とタンク１２側の端部との間に介挿されて中水補給管２１を開閉する第２の逆流防止機能付き電磁弁８０Ｂとを備えている。逆流防止機能付き電磁弁８０Ａ、第２の逆流防止機能付き電磁弁８０Ｂは、図１６の逆流防止機能付き電磁弁８０と同一構造である。
【０１８７】
さらに浴槽水利用装置１０Ｅは、上水送出管９１から分岐してタンク１２内に通じた上水補給管９２と、上水補給管９２の分岐箇所と、中水補給管２１との合流箇所との間で上水送出管９１に介挿されて上水送出管９１を開閉する上水送出管開閉電磁弁９３を備えている。
【０１８８】
また、逆流防止機能付き電磁弁８０Ａの排水口８３には、便器３へ通じた第１の排水管９４が接続され、第２の逆流防止機能付き電磁弁８０Ｂの排水口８３には、便器３へ通じた第２の排水管９５が接続されている。
【０１８９】
中水補給管２１を洗浄する際には、逆流防止機能付き電磁弁８０Ａの電磁弁８４を開くと共に上水送出管開閉電磁弁９３を開く。これにより、上水給水管２３からの上水が上水送出管９１、中水補給管２１を通じて浴槽２内へ流れ出て、中水補給管２１が洗浄される。
【０１９０】
浴槽水をポンプ１１でタンク１２へ汲み上げて補給するときは、上水送出管開閉電磁弁９３を閉じ、第２の逆流防止機能付き電磁弁８０Ｂの電磁弁８４を開き、ポンプ１１を動作させる。上水をタンク１２に補給するときは、上水送出管開閉電磁弁９３を閉じて、逆流防止機能付き電磁弁８０Ａの電磁弁８４を開く。
【０１９１】
上水送出管９１側から逆流防止機能付き電磁弁８０Ａの出口８２へ水が逆流した場合、その逆流した水は、逆流防止機能付き電磁弁８０Ａの排水口８３から第１の排水管９４を通じて便器３へ排水される。タンク１２内の水が第２の逆流防止機能付き電磁弁８０Ｂの出口８２へ逆流した場合、その逆流した水は、第２の逆流防止機能付き電磁弁８０Ｂの排水口８３から第２の排水管９５を通じて便器３へ排水される。これにより、タンク１２内の水が浴槽２へ逆流することが防止される。なお、上水送出管開閉電磁弁９３は、配管洗浄処理において開くときを除き、常時は閉じた状態に維持される。
【０１９２】
ここでは、第２の逆流防止機能付き電磁弁８０Ｂの出口８２からタンク１２へ至る中水補給管２１の出口は、タンク１２の低所に開口している。たとえば、タンク１２の底に設けた取水口に中水補給管２１の出口と排水配管２６の入口が共通に接続される。このような構成では、中水補給管２１の出口がタンク１２内の水と縁切りがされていないので、第２の逆流防止機能付き電磁弁８０Ｂを設けて、タンク１２内の水が浴槽２へ逆流しないようにしている。
【０１９３】
図１８は、浴槽水利用装置１０Ｅが行う配管洗浄処理（図５のステップＳ２０４）を示している。浴槽水利用装置１０Ｅでは、上水給水管２３からの上水を直接、中水補給管２１に流すので、タンク１２を空にした後、タンク１２を上水で最高水位にする工程は不要になる。図１８の配管洗浄処理では、浴槽２の栓が抜かれるのを待ち、浴槽２の栓が抜かれているときに、上水給水管２３からの上水を中水補給管２１を通じて浴槽２へ流して中水補給管２１を洗浄する。
【０１９４】
具体的には、浴槽２の水位が急減少中か否かを調べ（ステップＳ３５２）、急減少中でなければ（ステップＳ３５２；Ｎｏ）、本処理を一旦終了する（リターン）。浴槽２の水位が急減少中ならば（ステップＳ３５２；Ｙｅｓ）、浴槽２の水位が所定水位未満（浴槽水位なし）になるのを待つ（ステップＳ３５３；Ｙｅｓ）。
【０１９５】
浴槽水位なしまで浴槽２の水位が低下したら（ステップＳ３５３；Ｎｏ）、逆流防止機能付き電磁弁８０Ａの電磁弁８４を開き、上水送出管開閉電磁弁９３を開く（ステップＳ３５４）。これより、上水が中水補給管２１を通じて浴槽２へ流出して中水補給管２１内が洗浄される。
【０１９６】
このとき、浴槽水位ありになった場合は（ステップＳ３５５；Ｙｅｓ）、上水を中水補給管２１から浴槽２へ排出したことによって浴槽２の水位が上昇したので、浴槽２の栓が閉じられたと推定できる。そこで、「浴槽の栓を開いてください」といった警告をリモコン４０の表示部４１に表示して（ステップＳ３５６）、逆流防止機能付き電磁弁８０Ａの電磁弁８４を閉じ、上水送出管開閉電磁弁９３を閉じて（ステップＳ３５７）、ステップＳ３５５に戻る。警告表示は、浴槽水位なしになるまで継続される。
【０１９７】
浴槽水位なしならば（ステップＳ３５５；Ｎｏ）、洗浄時間が、予め設定された設定洗浄時間に達したか否かを調べる（ステップＳ３５８）。設定洗浄時間の洗浄が完了していなければ（ステップＳ３５８；Ｎｏ）ステップＳ３５４へ移行して、上水による中水補給管２１の洗浄を継続する。
【０１９８】
設定洗浄時間が完了した場合は（ステップＳ３５８；Ｙｅｓ）、逆流防止機能付き電磁弁８０Ａの電磁弁８４を閉じ、上水送出管開閉電磁弁９３を閉じる（ステップＳ３５９）。次に、配管洗浄フラグをＯＦＦにし、中水利用連続運転時間を０にリセットして（ステップＳ３６０）、本処理を終了する（リターン）。
【０１９９】
リモコン４０の配管洗浄釦４６が操作された場合（手動の配管洗浄指示を受けた場合）は、配管洗浄フラグをＯＮにし（ステップＳ３５１）、ステップＳ３５２へ移行する。
【０２００】
なお、浴槽水利用装置１０Ｅの場合、逆流防止機能付き電磁弁８０Ａの電磁弁８４と上水送出管開閉電磁弁９３を閉じて上水の供給を停止させても、中水補給管２１内の水は排出されず中水補給管２１の中を空にすることはできない。そのため、洗浄する期間と洗浄しない期間を交互に設けても洗浄効率を高めることはできない。そこで、設定洗浄時間が完了するまで連続的に上水を中水補給管２１に流すようにしている。
【０２０１】
次に、本発明の第５の実施の形態について説明する。
【０２０２】
図１９は、第５の実施の形態に係る浴槽水利用装置１０Ｆを示している。なお、図１９では、トイレ暖房や臭い防止のための換気など中水補給管２１の洗浄に関係ない部分については適宜省略してある。また、図１、図１７と同一部分には同一の符号を付してある。
【０２０３】
浴槽水利用装置１０Ｆは、第４の実施の形態と同様に上水給水管２３を通じて供給される水（上水）を、逆流防止機能付き電磁弁を介して中水補給管２１に送り込んで中水補給管２１を洗浄する。浴槽水利用装置１０Ｆでは、タンク１２内の水と中水補給管２１とは、タンク内の高低差（空間）で縁切りされている。
【０２０４】
浴槽水利用装置１０Ｆは、順方向の入口８１に上水給水管２３が接続された逆流防止機能付き電磁弁８０Ａと、逆流防止機能付き電磁弁８０Ａの出口８２に一端が接続され、他端が中水補給管２１のタンク１２側の端部近傍に合流された上水送出管９１と、中水補給管２１のうちの上水送出管９１の合流箇所とタンク１２側の端部との間に介挿されて中水補給管２１を開閉する中水電磁弁２２とを備えている。中水補給管２１はタンク１２の最高水位より高い位置でタンク１２内に開口している。
【０２０５】
さらに浴槽水利用装置１０Ｆは、上水給水管２３から分岐し、終端がタンク１２の最高水位より高い位置でタンク１２内に開放された上水補給管９７と、上水補給管９７に介装されて上水補給管９７を開閉する上水補給電磁弁９８を備えている。逆流防止機能付き電磁弁８０Ａの排水口８３には、便器３へ通じた第１の排水管９４が接続されている。
【０２０６】
浴槽水利用装置１０Ｆでは、中水補給管２１を洗浄する際には、逆流防止機能付き電磁弁８０Ａの電磁弁８４を開き、上水補給電磁弁９８を閉じ、中水電磁弁２２を閉じる。これにより、上水給水管２３からの上水が上水送出管９１、中水補給管２１を通じて浴槽２内へ流れ出て、中水補給管２１が洗浄される。
【０２０７】
浴槽水をポンプ１１でタンク１２へ汲み上げて補給するときは、逆流防止機能付き電磁弁８０Ａの電磁弁８４を閉じ、上水補給電磁弁９８を閉じ、中水電磁弁２２を開き、ポンプ１１を動作させる。上水をタンク１２に補給するときは、逆流防止機能付き電磁弁８０Ａの電磁弁８４を閉じ、上水補給電磁弁９８を開く。
【０２０８】
上水補給管９７および中水補給管２１は、タンク１２の最高水位より高い位置でタンク１２内に開口しているので、空間によりタンク１２内の水と縁切りされている。これにより、たとえば、上水補給電磁弁９８が故障しても、タンク１２内の水が上水給水管２３へ逆流することはない。また、中水電磁弁２２が故障しても、タンク１２内の水が浴槽２へ逆流することはない。
【０２０９】
浴槽水利用装置１０Ｆの配管洗浄処理の流れは基本的に図１８と同一である。ただし、ステップＳ３５４では、逆流防止機能付き電磁弁８０Ａの電磁弁８４を開き、ステップＳ３５６、Ｓ３５９では、逆流防止機能付き電磁弁８０の電磁弁８４を閉じる。また、中水電磁弁２２、上水補給電磁弁９８は配管洗浄中、閉じた状態を維持する。
【０２１０】
以上、本発明の実施の形態を図面によって説明してきたが、具体的な構成は実施の形態に示したものに限られるものではなく、本発明の要旨を逸脱しない範囲における変更や追加があっても本発明に含まれる。
【０２１１】
たとえば、取水口２ａは、図２０に示すように浴槽２の底部に設けられてもよい。これにより、より多くの残り湯をタンク１２に移送して利用することができる。
【０２１２】
また、図２１に示すように、ポンプ１１を天井裏などの上方に設置してもよい。なお、ポンプ１１を上方に設置した場合、ポンプ１１を順方向に動作させても、最初は、浴槽水を吸ってこない。そこで、試運転モードなどを設け、まず、タンク１２内に水を貯め（たとえば、上水電磁弁２４を開いて上水を貯め）、その後、ポンプ１１を逆転させてタンク１２からポンプ１１へ水を逆流させてポンプ１１に呼び水を与えるようにしてもよい。
【０２１３】
なお、便器３はロータンク付き（手洗いなし）のものでもかまわない。ロータンク付きの場合、フローセンサ２７を設けなくてもよい。また、たとえば、排水電磁弁２８、手動フラッシュ弁２９を設けない構成としてもよい。
【０２１４】
実施の形態では、フローセンサ２７で排水量を計測し、中水排水釦４４の１回の操作に対して、設定水量を排水したときに排水電磁弁２８を閉じるように制御したが、一定時間の排水で排水電磁弁２８を閉じる構成でもよい。
【０２１５】
また、実施の形態では、中水排水カウンタによりタンク１２への水の補給時期を管理したが、たとえば、タンク１２を最高水位にした後にフローセンサ２７が検知した排水量からタンク１２の残水量を認識して、水の補給時期等を制御してもよい。
【０２１６】
実施の形態では、タンク１２をトイレの天井裏に設置したが、便器３より上方であれば、すなわち、位置エネルギーを利用した自然落下によってタンク１２から便器３へタンク１２内の水を排水できればよく、天井裏に限定されるものではない。
【０２１７】
タンク１２に貯めた水の用途は便器３の洗浄に限定されない。庭木への自動散水等であってもよい。
【符号の説明】
【０２１８】
２…浴槽
２ａ…取水口
３…便器
１０、１０Ｂ〜１０Ｆ…浴槽水利用装置
１１…ポンプ
１２…タンク
１３…浴槽水位センサ
１４…タンク水位センサ
１４ａ…第１の電極
１４ｂ…第２の電極
１５…温度センサ
１６…排水部
１７…放熱部
１８…制御基板
２１…中水補給管
２２…中水電磁弁
２３…上水給水管
２４…上水電磁弁
２６…排水配管
２７…フローセンサ
２８…排水電磁弁
２９…手動フラッシュ弁
３１…熱交換器
３２…ファン
３３…通気口
３５…人感センサ
３７…換気ファン
４０…リモコン
４１…表示部
４２…運転釦
４３…設定釦
４４…中水排水釦
４５…上水排水釦
４６…配管洗浄釦
４７…上下キー
４８…ランプ
４９…トイレ暖房釦
５１…換気ダクト
５２…換気ファン
５４…屋外排水配管
５５…出水栓
５６…消臭装置
５７…殺菌装置
５８…熱交換器
６０…風呂給湯器
６１…熱交換器
６２…バーナー
６３…風呂戻り管
６４…風呂往き管
６５…循環ポンプ
６６…水位センサ
６７…三方弁
７０…風呂給湯器
７１…暖房回路用の熱交換器
７２…暖房回路用のバーナー
７３…暖房回路用の循環ポンプ
７４…循環回路
８０、８０Ａ、８０Ｂ…逆流防止機能付き電磁弁
８１…入口
８２…出口
８３…排水口
８４…電磁弁
８５…第１弁
８６…第２弁
８７…第３弁
９１…上水送出管
９２…上水補給管
９３…上水送出管開閉電磁弁
９４…第１の排水管
９５…第２の排水管
９７…上水補給管
９８…上水補給電磁弁
【図１】
2015010332.tif 000003
【図２】
2015010332.tif 000004
【図３】
2015010332.tif 000005
【図４】
2015010332.tif 000006
【図５】
2015010332.tif 000007
【図６】
2015010332.tif 000008
【図７】
2015010332.tif 000009
【図８】
2015010332.tif 000010
【図９】
2015010332.tif 000011
【図１０】
2015010332.tif 000012
【図１１】
2015010332.tif 000013
【図１２】
2015010332.tif 000014
【図１３】
2015010332.tif 000015
【図１４】
2015010332.tif 000016
【図１５】
2015010332.tif 000017
【図１６】
2015010332.tif 000018
【図１７】
2015010332.tif 000019
【図１８】
2015010332.tif 000020
【図１９】
2015010332.tif 000021
【図２０】
2015010332.tif 000022
【図２１】
2015010332.tif 000023